(57)【特許請求の範囲】
【請求項１】
呼出の操作を行うための玄関子機と、
前記玄関子機と通信可能に構成される居室親機と、
通信ネットワークを介して前記居室親機と通信可能なサーバと、
前記通信ネットワークを介して前記サーバ及び前記居室親機と通信可能であり、前記玄関子機からの前記呼出を受信可能であるとともに、自端末の位置情報を前記サーバに送信する携帯端末と、
を備え、
前記サーバは、
前記居室親機が設置された居室の位置情報が記録された記録部と、
前記居室の位置情報と前記携帯端末の位置情報とに基づいて、前記携帯端末が前記居室内に在るか否かを示す在不在情報を生成する生成部と、を有し、
前記居室親機は、
前記玄関子機からの前記呼出へ応対するための応対操作を受け付ける操作部と、
前記通信ネットワークを介して前記在不在情報を受信する受信部と、
前記玄関子機からの呼出時に前記在不在情報が不在を示す場合、前記操作部に対する前記応対操作をロックする制御部と、を有する、
インターホンシステム。
【請求項２】
前記居室親機は、前記携帯端末と通話を行うことが可能な居室通話機能を有する、請求項１に記載のインターホンシステム。
【請求項３】
前記居室親機は、前記玄関子機からの呼出時における前記操作部に対する前記応対操作をロックするロック設定部を有する、請求項１または請求項２に記載のインターホンシステム。
【請求項４】
前記操作部は、音声による操作が可能な音声操作部と、タッチ操作による操作が可能なタッチ操作部と、を有し、
前記制御部は、前記玄関子機からの呼出時に前記在不在情報が不在を示す場合、前記音声操作部及び前記タッチ操作部に対する前記応対操作をロックする、請求項１または請求項２に記載のインターホンシステム。
【請求項５】
前記居室親機は、
前記玄関子機からの呼出時における前記音声操作部に対する前記応対操作をロックする第一ロック設定部と、
前記玄関子機からの呼出時における前記タッチ操作部に対する前記応対操作をロックする第二ロック設定部と、を有する、
請求項４に記載のインターホンシステム。
【請求項６】
前記携帯端末は、
前記玄関子機からの呼出時における前記音声操作部に対する前記応対操作をロックする第三ロック設定部と、
前記玄関子機からの呼出時における前記タッチ操作部に対する前記応対操作をロックする第四ロック設定部と、を有する、
請求項４または請求項５に記載のインターホンシステム。
【請求項７】
前記タッチ操作部に対する前記応対操作のロックは、前記タッチ操作部にパスワードを入力することにより解除可能である、請求項４から請求項６のいずれか一項に記載のインターホンシステム。
【請求項８】
前記玄関子機からの前記呼出が終了したとき、前記制御部は、前記操作部に対する前記応対操作のロックを解除する、請求項１から請求項７のいずれか一項に記載のインターホンシステム。
【発明の詳細な説明】
【技術分野】
【０００１】
本発明は、インターホンシステムに関する。
【背景技術】
【０００２】
従来、玄関に設置される子機と、居室内に設置される親機と、居住者が所有する携帯端末とを備えるインターホンシステムがある。例えば、特許文献１には、来訪者による子機からの呼出に対して、外出中の居住者が携帯端末を用いて応対可能なインターホンシステムが開示されている。
【先行技術文献】
【特許文献】
【０００３】
【特許文献１】特開２０００−３０７７４０号公報
【発明の概要】
【発明が解決しようとする課題】
【０００４】
特許文献１に記載のインターホンシステムでは、携帯端末を携帯する居住者は、外出中であっても来訪者の呼出に応対することができて便利である。しかしながら、居住者が例えば、父、母、子の３人家族において、子供が一人で留守番している間に来訪者からの呼出があった場合、外出中の居住者（保護者）よりも先に子供が玄関親機にて呼出に応対してしまうことがあった。このとき、来訪者が不審者であった場合にはトラブルに繋がる可能性がある。このように、特許文献１に記載のインターホンシステムでは、呼出応対機能のセキュリティを向上させる余地があった。
【０００５】
本発明は、呼出応対機能のセキュリティを向上させることが可能なインターホンシステムを提供することを目的とする。
【課題を解決するための手段】
【０００６】
本発明にかかるインターホンシステムは、
呼出の操作を行うための玄関子機と、
前記玄関子機と通信可能に構成される居室親機と、
通信ネットワークを介して前記居室親機と通信可能なサーバと、
前記通信ネットワークを介して前記サーバ及び前記居室親機と通信可能であり、前記玄関子機からの前記呼出を受信可能であるとともに、自端末の位置情報を前記サーバに送信する携帯端末と、
を備え、
前記サーバは、
前記居室親機が設置された居室の位置情報が記録された記録部と、
前記居室の位置情報と前記携帯端末の位置情報とに基づいて、前記携帯端末が前記居室内に在るか否かを示す在不在情報を生成する生成部と、を有し、
前記居室親機は、
前記玄関子機からの前記呼出へ応対するための応対操作を受け付ける操作部と、
前記通信ネットワークを介して前記在不在情報を受信する受信部と、
前記玄関子機からの呼出時に前記在不在情報が不在を示す場合、前記操作部に対する前記応対操作をロックする制御部と、を有する。
【０００７】
上記構成によれば、居住者が携帯端末を携帯して外出している際に来訪者からの呼出があった場合、在不在情報に基づいて居室親機の操作部はロックされる。このため、居室で留守番をしている子供等は、居室親機を用いて呼出へ応対することはできず、子供が応対したことに起因するトラブルの発生を抑制することができる。このように、上記構成によれば、呼出応対機能のセキュリティを向上させることができる。
【０００８】
また、本発明のインターホンシステムにおいて、前記居室親機は、前記携帯端末と通話を行うことが可能な居室通話機能を有することにしても良い。
【０００９】
居室親機と携帯端末とで通話を行うことが可能な居室通話機能を有するインターホンシステムでは、例えば留守番中の子供が居室親機を利用して外出中の保護者と通話することができて便利である。一方で、子供が居室親機の操作に慣れ親しみ、保護者である居住者が不在時に、呼出に対して勝手に居室親機で応対してしまう可能性が高まると考えられる。しかし、上記構成によれば、居住者が携帯端末を携帯して外出している際に来訪者からの呼出があった場合、在不在情報に基づいて居室親機の操作部はロックされるため、子供が応対したことに起因するトラブルの発生を抑制することができる。このように、上記構成によれば、居室通話機能の利便性を維持しつつ、呼出応対機能のセキュリティを向上させることができる。
【００１０】
また、本発明のインターホンシステムにおいて、前記居室親機は、前記玄関子機からの呼出時における前記操作部に対する前記応対操作をロックするロック設定部を有することにしても良い。
【００１１】
上記構成によれば、居住者は、外出前に手動で居室親機による応対操作をロックすることができる。
【００１２】
また、本発明のインターホンシステムにおいて、前記操作部は、音声による操作が可能な音声操作部と、タッチ操作による操作が可能なタッチ操作部と、を有し、
前記制御部は、前記玄関子機からの呼出時に前記在不在情報が不在を示す場合、前記音声操作部及び前記タッチ操作部に対する前記応対操作をロックすることにしても良い。
【００１３】
上記構成によれば、居室で留守番をしている子供等は、居室親機への音声操作やタッチ操作を用いて呼出へ応対することはできず、子供が応対したことに起因するトラブルの発生を抑制することができる。
【００１４】
また、本発明のインターホンシステムにおいて、
前記居室親機は、
前記玄関子機からの呼出時における前記音声操作部に対する前記応対操作をロックする第一ロック設定部と、
前記玄関子機からの呼出時における前記タッチ操作部に対する前記応対操作をロックする第二ロック設定部と、を有することにしても良い。
【００１５】
上記構成によれば、音声操作部による応対操作のロックとタッチ操作による応対操作のロックとを別々に設定することができる。これにより、ロック設定の自由度が高まり利便性が向上する。
【００１６】
また、本発明のインターホンシステムにおいて、
前記携帯端末は、
前記玄関子機からの呼出時における前記音声操作部に対する前記応対操作をロックする第三ロック設定部と、
前記玄関子機からの呼出時における前記タッチ操作部に対する前記応対操作をロックする第四ロック設定部と、を有することにしても良い。
【００１７】
上記構成によれば、外出中の居住者は、外出先からロック設定を変更することができる。
【００１８】
また、本発明のインターホンシステムにおいて、前記タッチ操作部に対する前記応対操作のロックは、前記タッチ操作部にパスワードを入力することにより解除可能であることにしても良い。
【００１９】
上記構成によれば、パスワードを知る居住者が帰宅した場合、パスワードを入力することでロックを解除して、居室親機を用いて呼出へ応対することができる。
【００２０】
また、本発明のインターホンシステムにおいて、前記玄関子機からの前記呼出が終了したとき、前記制御部は、前記操作部に対する前記応対操作のロックを解除することにしても良い。
【００２１】
上記構成によれば、呼出の終了後、再び、居室通話機能の利用が可能となる。例えば留守番中の子供が居室親機を利用して外出中の保護者と通話することができる。このように、上記構成によれば、居室通話機能及び呼出応対機能の利便性を維持しつつセキュリティを向上させることができる。
【発明の効果】
【００２２】
本発明によれば、呼出応対機能のセキュリティを向上させることが可能なインターホンシステムを提供することができる。
【図面の簡単な説明】
【００２３】
【図１】本発明の実施形態を示すインターホンシステムの概略構成図である。
【図２】本発明の実施形態を示すインターホンシステムの概略ブロック図である。
【図３】インターホンシステムを構成する居室親機の概略構成図である。
【図４】インターホンシステムを構成する携帯端末の概略構成図である。
【図５】インターホンシステムを構成する居室親機の他の例を示す概略構成図である。
【図６】インターホンシステムを構成する居室親機の他の例を示す概略構成図である。
【図７】インターホンシステムを構成する携帯端末の他の例を示す概略構成図である。
【発明を実施するための形態】
【００２４】
以下、本発明に係るインターホンシステムの実施の形態の例を、図面を参照して説明する。
【００２５】
図１及び図２に示すように、本実施形態に係るインターホンシステム１０は、玄関子機２０と、居室親機３０と、サーバ４０と、携帯端末５０とから構成されている。インターホンシステム１０の玄関子機２０及び居室親機３０は、マンション等の集合住宅や一戸建てなどの住戸Ｊに設置される。
【００２６】
玄関子機２０は、住戸Ｊの居室Ｋ内に在宅中の居住者を呼び出す際に、来訪者が所定の呼出操作を行うためのものであり、住戸Ｊの玄関における外壁面等に設けられている。玄関子機２０は、玄関子機マイク２１、玄関子機スピーカ２２、玄関子機操作部２３、玄関子機カメラ２４、玄関子機ＣＰＵ２５、玄関子機アプリケーション２６及び玄関子機通信インターフェース２７を備えている。
【００２７】
玄関子機マイク２１及び玄関子機スピーカ２２は、来訪者が居住者との間で通話をする際に、音声を入出力するためのものである。玄関子機操作部２３は、来訪者が居住者を呼び出すための呼出操作を行う際に来訪者によって操作される部分である。玄関子機カメラ２４は、呼出操作を行う来訪者を撮影するためのものである。
【００２８】
玄関子機マイク２１、玄関子機スピーカ２２、玄関子機操作部２３及び玄関子機カメラ２４は、玄関子機ＣＰＵ２５に接続されている。玄関子機ＣＰＵ２５には、玄関子機マイク２１からの音声信号及び玄関子機カメラ２４からの映像信号が送信され、また、玄関子機操作部２３で操作されることで玄関子機操作部２３から入力信号が送信される。また、玄関子機ＣＰＵ２５は、玄関子機スピーカ２２へ音声信号を出力する。玄関子機ＣＰＵ２５には、玄関子機アプリケーション２６が接続されており、玄関子機ＣＰＵ２５は、玄関子機アプリケーション２６に格納されているアプリケーションに基づいて、玄関子機２０を制御する。玄関子機ＣＰＵ２５には、玄関子機通信インターフェース２７が接続されており、これにより、玄関子機２０は、玄関子機通信インターフェース２７を介して玄関子機ＣＰＵ２５が居室親機３０との間で信号の送受信を行う。
【００２９】
居室親機３０は、玄関子機２０からの来訪者による呼出に応答するためのものであり、住戸Ｊの居室Ｋにおける壁面等に設けられている。居室親機３０は、居室親機マイク３１、居室親機スピーカ３２、居室親機操作部３３、居室親機表示部３４、居室親機ＣＰＵ３５、居室親機アプリケーション３６及び居室親機通信インターフェース３７を備えている。
【００３０】
また、居室親機３０は、音声操作部３３ａ及びタッチ操作部３３ｂを備えている。音声操作部３３ａは、音声による操作が可能であり、居住者が居室親機３０のマイク３１に向かって話すことで、その音声によって居室親機３０が操作される。タッチ操作部３３ｂは、タッチパネルからなる居室親機表示部３４の一部からなるもので、このタッチ操作部３３ｂをタッチ操作することで居室親機３０が操作される（図３参照）。
【００３１】
居室親機マイク３１及び居室親機スピーカ３２は、居住者が来訪者との間で通話をする際に、音声を入出力するためのものである。居室親機操作部３３は、居住者によって操作される部分である。この居室親機操作部３３は、玄関子機２０からの呼出へ応対するための応対操作を受け付ける。例えば、居室親機操作部３３を操作することで、玄関子機２０からの呼出に応対すべく、来訪者との間での通話を可能としたり、エントランスの扉を開放する解除操作が行われる。居室親機表示部３４は、玄関子機２０の玄関子機カメラ２４で撮影された来訪者の映像を表示するためのものである。
【００３２】
居室親機マイク３１、居室親機スピーカ３２、居室親機操作部３３及び居室親機表示部３４は、居室親機ＣＰＵ３５に接続されている。居室親機ＣＰＵ３５には、居室親機マイク３１からの音声信号が送信され、また、居室親機ＣＰＵ３５には、居室親機操作部３３で操作されることで居室親機操作部３３から入力信号が送信される。また、居室親機ＣＰＵ３５は、居室親機スピーカ３２へ音声信号を出力し、居室親機表示部３４へ映像信号を出力する。居室親機ＣＰＵ３５には、居室親機アプリケーション３６が接続されており、居室親機ＣＰＵ３５は、居室親機アプリケーション３６に格納されているアプリケーションに基づいて、居室親機３０を制御する。居室親機ＣＰＵ３５には、居室親機通信インターフェース３７が接続されており、これにより、居室親機３０は、居室親機通信インターフェース３７を介して居室親機ＣＰＵ３５が玄関子機２０との間で信号の送受信を行う。また、この居室親機通信インターフェース３７は、インターネット等の通信ネットワークＩｎにも接続されており、通信ネットワークＩｎを介した通信が可能とされている。
【００３３】
サーバ４０は、住戸Ｊとは異なる建物に設けられたもので、通信ネットワークＩｎに接続されている。このサーバ４０は、サーバＣＰＵ４５、サーバアプリケーション４６、サーバ通信インターフェース４７及びサーバ記録部４８を備えている。
【００３４】
サーバＣＰＵ４５には、サーバアプリケーション４６が接続されており、サーバＣＰＵ４５は、サーバアプリケーション４６に格納されているアプリケーションに基づいて、各種の制御を行う。また、サーバＣＰＵ４５には、サーバ通信インターフェース４７が接続されている。このサーバ通信インターフェース４７は、通信ネットワークＩｎに接続されており、サーバ４０は、通信ネットワークＩｎを介して通信が可能とされている。サーバ記録部４８は、サーバＣＰＵ４５に接続されている。このサーバ記録部４８には、各種の情報が記憶可能とされており、サーバＣＰＵ４５によって情報の書き込み及び読み出しが行われる。サーバＣＰＵ４５は、生成部４５ａを有している。この生成部４５ａは、住戸Ｊの居室Ｋの位置情報である居室範囲Ｇと携帯端末５０の端末位置情報とに基づいて、携帯端末５０についての在不在情報を生成する。
【００３５】
携帯端末５０は、住戸Ｊの居住者によって外出時に携帯される携帯電話等の端末である。携帯端末５０は、携帯端末マイク５１、携帯端末スピーカ５２、携帯端末操作部５３、携帯端末表示部５４、携帯端末ＣＰＵ５５、携帯端末アプリケーション５６及び携帯端末通信インターフェース５７を備えている。
【００３６】
携帯端末マイク５１及び携帯端末スピーカ５２は、携帯端末５０の所有者が他の携帯端末５０や固定電話等との間で通話をする際に、音声を入出力するためのものである。携帯端末操作部５３は、携帯端末５０の所有者によって各種操作される部分である。
【００３７】
携帯端末表示部５４は、玄関子機２０の玄関子機カメラ２４で撮影された来訪者の映像や各種の情報を表示するためのものである。この携帯端末表示部５４は、タッチパネルからなるもので、この携帯端末表示部５４の一部も携帯端末操作部５３を構成している（図４参照）。
【００３８】
携帯端末マイク５１、携帯端末スピーカ５２、携帯端末操作部５３及び携帯端末表示部５４は、携帯端末ＣＰＵ５５に接続されている。携帯端末ＣＰＵ５５には、携帯端末マイク５１からの音声信号が送信され、また、携帯端末ＣＰＵ５５には、携帯端末操作部５３で操作されることで携帯端末操作部５３から入力信号が送信される。また、携帯端末ＣＰＵ５５は、携帯端末スピーカ５２へ音声信号を出力し、携帯端末表示部５４へ映像信号を出力する。携帯端末ＣＰＵ５５には、携帯端末アプリケーション５６が接続されており、携帯端末ＣＰＵ５５は、携帯端末アプリケーション５６に格納されているアプリケーションに基づいて、携帯端末５０を制御する。
【００３９】
携帯端末ＣＰＵ５５には、携帯端末通信インターフェース５７が接続されている。携帯端末通信インターフェース５７は、通信ネットワークＩｎに接続可能であり、通信ネットワークＩｎを介した通信が可能とされている。携帯端末５０は、電話番号等の端末特定情報をサーバ４０や居室親機３０に登録しておくことで、通信ネットワークＩｎを介して、サーバ４０及び居室親機３０と通信可能とされている。これにより、携帯端末５０は、玄関子機２０からの呼出信号を、居室親機３０を介して受信可能であるとともに、自己の端末位置情報のサーバ４０への送信が可能である。この自己の端末位置情報は、例えば、ＧＰＳ（Ｇｌｏｂａｌ Ｐｏｓｉｔｉｏｎｉｎｇ Ｓｙｓｔｅｍ）を用いて取得されるものである。
【００４０】
上記構成のインターホンシステム１０では、携帯端末５０の携帯端末アプリケーション５６にインストールされた専用のアプリケーションによって居室位置情報を事前にサーバ４０に登録しておくことで、サーバ４０のサーバＣＰＵ４５が、居室Ｋの仮想の範囲であるジオフェンスを求め、このジオフェンスの情報を居室範囲Ｇとしてサーバ記録部４８に記録させる。この仮想の居室範囲Ｇであるジオフェンスは住戸Ｊの居室Ｋが収まる程度の範囲である。
【００４１】
そして、サーバ４０のサーバＣＰＵ４５は、その生成部４５ａが、サーバ記録部４８に記憶させた居室範囲Ｇと、携帯端末５０の端末位置情報とに基づいて、携帯端末５０が住戸Ｊの居室Ｋ内に在るか否かを示す在不在情報を生成する。このサーバ４０の生成部４５ａで生成された在不在情報は、まず、サーバ４０から専用のアプリケーションがインストールされた携帯端末５０へ送られ、この携帯端末５０から居室親機３０へ送られる。これにより、サーバ４０から居室親機３０へ在不在情報が通信ネットワークＩｎを介して転送されることとなる。なお、サーバ４０と居室親機３０とが直接通信することで、サーバ４０から居室親機３０へ在不在情報を直接送信しても良い。
【００４２】
サーバ４０では、携帯端末５０が、居室範囲Ｇの境界線を越える度に、生成部４５ａが在不在情報を生成して更新する。そして、居室親機３０には、最新の在不在情報がサーバ４０から通知される。なお、携帯端末５０の端末位置情報は、ＧＰＳに限らず、携帯端末５０が通信する基地局やＷｉＦｉ（Ｗｉｒｅｌｅｓｓ Ｆｉｄｅｌｉｔｙ）のアクセスポイントなどから特定しても良い。また、在不在情報の更新は、ＧＰＳからの電波が届かない建物内に居住者がいた場合には遅れてしまう場合もある。このため、携帯端末５０の位置情報は、携帯端末５０の所有者が手動によって設定する構成としても良い。この場合、携帯端末５０の所有者が居室範囲Ｇの境界を超えたときに設定することで、ＧＰＳの電波状況に関わらず、サーバ４０の生成部４５ａによって在不在情報が確実に更新される。
【００４３】
居室親機３０は、居室親機通信インターフェース３７が、通信ネットワークＩｎを介してサーバ４０で生成された在不在情報を受信する。この在不在情報は、居室親機ＣＰＵ３５へ送信される。そして、この居室親機ＣＰＵ３５は、玄関子機２０からの呼出時に、在不在情報が不在を示す場合、つまり、全ての携帯端末５０が住戸Ｊの居室Ｋ外にある場合、居室親機操作部３３、音声操作部３３ａ及びタッチ操作部３３ｂに対する応対操作をロックする。これにより、居室Ｋ内の居住者による来訪者との通話やエントランスの扉の施錠の解除操作が禁止される。具体的には、居室親機ＣＰＵ３５は、玄関子機２０からの呼出時に在不在情報が不在を示す場合、音声操作部３３ａ及びタッチ操作部３３ｂに対する応対操作をロックする。
【００４４】
そして、居室親機３０の居室親機ＣＰＵ３５は、玄関子機２０からの呼出が終了したとき、居室親機操作部３３、音声操作部３３ａ及びタッチ操作部３３ｂに対する応対操作のロックを解除する。なお、在不在情報が在宅を示す場合、つまり、携帯端末５０の少なくともいずれかが住戸Ｊの居室Ｋ内にある場合、居室親機操作部３３、音声操作部３３ａ及びタッチ操作部３３ｂに対する応対操作はロックされず、応対可能な状態に維持される。
【００４５】
上記インターホンシステム１０では、居室親機３０は、通信ネットワークＩｎを介して携帯端末５０と通話を行うことが可能な居室通話機能を有している。したがって、例えば留守番中の子供が居室親機３０のマイク３１に向かって話しかけることで、音声操作部３３ａが動作して携帯端末５０に向かって発信をし、携帯端末５０を携帯して外出した保護者と通話することが可能とされている。
【００４６】
また、タッチ操作部３３ｂに対する応対操作のロックは、タッチ操作部３３ｂにパスワードを入力することにより解除可能とされている。
【００４７】
次に、上記構成のインターホンシステム１０における各種の動作パターン例を説明する。
【００４８】
（基本条件）
１）居住者の家族構成
父Ｆ、母Ｍ、小学生の長女Ｃ１、未就学児の次女Ｃ２の四人家族（図１参照）
２）各居住者の条件
携帯端末５０の所有：父Ｆ、母Ｍ
ロック解除のパスワードの認知：父Ｆ、母Ｍ、長女Ｃ１
【００４９】
＜動作パターンＡ＞
父Ｆ、母Ｍ、長女Ｃ１、次女Ｃ２の全員が居室Ｋ内に居る状態から、父Ｆ、母Ｍ、長女Ｃ１が外出する。すると、父Ｆ及び母Ｍの携帯端末５０が居室範囲Ｇの外に移動することで、サーバ４０は、サーバ記録部４８に記憶された住戸Ｊの居室範囲Ｇと、携帯端末５０から送信された端末位置情報とに基づいて、携帯端末５０の在不在情報を生成して更新する。
【００５０】
その後、一人で留守番することが寂しくなった次女Ｃ２は、居室親機３０のマイク３１に向かって話しかけて音声操作部３３ａを利用して、母Ｍの携帯端末５０に通話発信する。すると、母Ｍの携帯端末５０によって居室親機３０からの通話発信が受信される。これにより、母Ｍと次女Ｃ２は、居室親機３０と携帯端末５０とによって会話を行うことが可能となる。会話が終了したら、母Ｍが携帯端末５０の携帯端末操作部５３を操作することで通話を終了させる。
【００５１】
このように、本実施形態に係るインターホンシステム１０によれば、外出中の母Ｍと留守番中の次女Ｃ２とが、居室親機３０と携帯端末５０とで通話することができて便利である。
【００５２】
＜動作パターンＢ＞
父Ｆ、母Ｍ、長女Ｃ１、次女Ｃ２の全員が居室Ｋ内に居る状態から、父Ｆ、母Ｍ、長女Ｃ１が外出する。すると、父Ｆ及び母Ｍの携帯端末５０が居室範囲Ｇの外に移動することで、サーバ４０は、サーバ記録部４８に記憶された住戸Ｊの居室範囲Ｇと、携帯端末５０から送信された端末位置情報とに基づいて、携帯端末５０の在不在情報を生成して更新する。
【００５３】
その後、住戸Ｊに宅配業者が訪問し、宅配業者が玄関子機２０で呼出操作を行う。すると、玄関子機２０から呼出信号が居室親機３０及び各携帯端末５０へ送信され、この呼出信号が居室親機３０及び各携帯端末５０で受信される。
居室親機３０では、居室親機ＣＰＵ３５が、サーバ４０で生成された不在を示す在不在情報に基づいて、居室親機３０の居室親機操作部３３、音声操作部３３ａ及びタッチ操作部３３ｂに対する応対操作が自動でロックされる。これにより、居室Ｋ内の次女Ｃ２による宅配業者との通話やエントランスの扉の施錠の解除操作が禁止される。
【００５４】
一方、携帯端末５０では、携帯端末表示部５４に宅配業者の画像が表示される。外出中の母Ｍは、自分の携帯端末５０の携帯端末表示部５４を確認し、携帯端末表示部５４をタッチ操作し、玄関子機２０での呼出に応対する。例えば、母Ｍは、宅配業者と通話し、後日に再度配達するように依頼する。
母Ｍは携帯端末表示部５４をタッチ操作し、玄関子機２０と携帯端末５０とでの応対を終了させる。すると、居室親機３０では、居室親機ＣＰＵ３５によって、居室親機操作部３３、音声操作部３３ａ及びタッチ操作部３３ｂの応対操作のロックが解除される。
【００５５】
ここで、応対操作のロック機能のないインターホンシステムでは、玄関子機２０での呼出があった際に、外出中の母Ｍ（保護者）よりも先に次女Ｃ２である子供が居室親機３０で呼出に応対してしまったり、母Ｍが携帯端末５０で呼出へ応対中に子供が居室親機３０で重複して応対してしまったりする場合があった。このとき、来訪者が不審者であった場合にはトラブルに繋がる可能性がある。
【００５６】
これに対して、本実施形態に係るインターホンシステム１０によれば、在不在情報に基づいて居室親機３０の居室親機操作部３３、音声操作部３３ａ及びタッチ操作部３３ｂがロックされる。このため、居室Ｋで留守番をしている次女Ｃ２は、居室親機３０を用いて呼出へ応対することはできず、未就学児である次女Ｃ２が呼出へ応対したことに起因するトラブルの発生を抑制することができる。
【００５７】
＜動作パターンＣ＞
父Ｆ、母Ｍ、長女Ｃ１、次女Ｃ２の全員が居室Ｋ内に居る状態から、父Ｆ、母Ｍ、長女Ｃ１が外出する。すると、父Ｆ及び母Ｍの携帯端末５０が居室範囲Ｇの外に移動することで、サーバ４０は、サーバ記録部４８に記憶された住戸Ｊの居室範囲Ｇと、携帯端末５０から送信された端末位置情報とに基づいて、携帯端末５０の在不在情報を生成して更新する。
【００５８】
その後、長女Ｃ１が帰宅し、住戸Ｊには、長女Ｃ１、次女Ｃ２が在宅した状態となる。この状態で、住戸Ｊに宅配業者が訪問し、玄関子機２０で呼出操作を行う。すると、玄関子機２０からの呼出信号が居室親機３０及び各携帯端末５０へ送信され、この呼出信号が居室親機３０及び各携帯端末５０で受信される。
居室親機３０では、居室親機ＣＰＵ３５が、サーバ４０で生成された不在を示す在不在情報に基づいて、居室親機３０の居室親機操作部３３、音声操作部３３ａ及びタッチ操作部３３ｂに対する応対操作が自動でロックされる。これにより、居室Ｋ内の長女Ｃ１及び次女Ｃ２による宅配業者との通話やエントランスの扉の施錠の解除操作が禁止される。
【００５９】
在宅している長女Ｃ１は、居室親機表示部３４によって来訪者が不審者ではなく宅配業者であることを確認した後、居室親機３０に対してタッチ操作部３３ｂからパスワードを入力して応対操作のロックを解除する。そして、長女Ｃ１は、居室親機３０の居室親機操作部３３を操作し、玄関子機２０での呼出に応対し、その後、居室親機３０での応対を終了させる。
【００６０】
このように、本実施形態に係るインターホンシステム１０によれば、外出先から住戸Ｊに帰宅した長女Ｃ１が、居室親機３０によって、例えば、来訪者が不審者か否かなどの状況を確認して玄関子機２０からの呼出に応対できる。つまり、玄関子機２０の呼出に対して、その状況に応じて柔軟に応対できる。
【００６１】
以上、説明したように、本実施形態に係るインターホンシステム１０によれば、居住者が携帯端末５０を携帯して外出している際に来訪者からの呼出があった場合、在不在情報に基づいて居室親機３０の居室親機操作部３３、音声操作部３３ａ及びタッチ操作部３３ｂがロックされる。このため、居室Ｋで留守番をしている子供等は、居室親機３０を用いて呼出へ応対することはできず、子供が応対したことに起因するトラブルの発生を抑制することができる。したがって、呼出応対機能のセキュリティを向上させることができる。
【００６２】
ところで、居室親機３０と携帯端末５０とで通話を行うことが可能な居室通話機能を有するインターホンシステム１０では、例えば留守番中の子供が居室親機３０を利用して外出中の保護者と通話することができて便利である。一方で、子供が居室親機３０の操作に慣れ親しみ、保護者である居住者が不在時に、呼出に対して勝手に居室親機３０で応対してしまう可能性が高まると考えられる。
【００６３】
しかし、本実施形態に係るインターホンシステム１０によれば、居住者が携帯端末５０を携帯して外出している際に来訪者からの呼出があった場合、在不在情報に基づいて居室親機３０の居室親機操作部３３、音声操作部３３ａ及びタッチ操作部３３ｂがロックされる。したがって、居室Ｋで留守番をしている子供等は、居室親機３０への音声操作やタッチ操作を用いて呼出へ応対することはできず、子供が応対したことに起因するトラブルの発生を抑制することができる。このように、上記構成のインターホンシステム１０によれば、居室通話機能の利便性を維持しつつ、呼出応対機能のセキュリティを向上させることができる。
【００６４】
また、タッチ操作部３３ｂに対する応対操作のロックは、タッチ操作部３３ｂにパスワードを入力することにより解除可能である。したがって、パスワードを知る居住者が帰宅した場合、タッチ操作部３３ｂからパスワードを入力することでロックを解除して、居室親機３０を用いて呼出へ応対することができる。つまり、パスワードを教えられた子供によってロック解除が可能となる。例えば、来訪者が不審者であるか否かを判断することができる年長の子供に対してパスワードを教えておくことで、年長の子供がロック解除を行い、来訪者と応対することが可能となる。
【００６５】
さらに、居室親機３０の居室親機ＣＰＵ３５は、玄関子機２０からの呼出が終了したとき、居室親機操作部３３に対する応対操作のロックを解除するので、呼出の終了後、再び、居室通話機能の利用が可能となる。したがって、例えば、留守番中の子供が居室親機３０を利用して外出中の保護者と通話することができる。これにより、居室通話機能及び呼出応対機能の利便性を維持しつつセキュリティを向上させることができる。
【００６６】
なお、上記実施形態では、携帯端末５０が、玄関子機２０からの呼出を、通信ネットワークＩｎに繋がる居室親機３０を経由して受信する構成としたが、玄関子機２０から通信ネットワークＩｎを介して携帯端末５０へ直接呼出信号を送信し、携帯端末５０で受信させるようにしても良い。
【００６７】
また、上記実施形態では、携帯端末５０の携帯端末アプリケーション５６にインストールされた専用のアプリケーションによってサーバ４０がジオフェンスからなる居室範囲Ｇを割り出して居室親機３０へ転送したが、このジオフェンスである居室範囲Ｇは、居室親機３０で予め登録しておいても良い。この場合、サーバ４０は、居室親機３０に登録されている居室範囲Ｇと携帯端末５０の端末位置情報を取得してこれらの情報に基づいて、携帯端末５０の在不在情報を生成することとなる。
【００６８】
また、居室親機３０には、図５に示すように、居室親機操作部３３、音声操作部３３ａ及びタッチ操作部３３ｂに対する応対操作のロックを可能なロック設定部３８を設けても良い。
【００６９】
このように、ロック設定部３８を設ければ、住戸Ｊの居室Ｋに居る居住者は、外出前に手動によってロック設定部３８で居室親機操作部３３、音声操作部３３ａ及びタッチ操作部３３ｂに対する応対操作をロックさせておくことで、その後の居室親機３０による応対操作をできなくし、セキュリティを確保することができる。
【００７０】
また、図６に示すように、居室親機３０には、玄関子機２０からの呼出時における音声操作部３３ａに対する応対操作をロックする第一ロック設定部３８ａと、玄関子機２０からの呼出時におけるタッチ操作部３３ｂに対する応対操作をロックする第二ロック設定部３８ｂとを設けても良い。このような構成とすれば、音声操作部３３ａによる応対操作のロックとタッチ操作部３３ｂによる応対操作のロックとを別々に設定することができる。例えば、タッチ操作が使える長女Ｃ１向けの設定など、ロック設定の自由度が高まり利便性が向上する。
【００７１】
また、携帯端末５０には、玄関子機２０からの呼出時における音声操作部３３ａに対する応対操作をロックする第三ロック設定部５８ａと、玄関子機２０からの呼出時におけるタッチ操作部３３ｂに対する応対操作をロックする第四ロック設定部５８ｂとを設けても良い。このような構成とすれば、音声操作部３３ａによる応対操作のロックとタッチ操作部３３ｂによる応対操作のロックとを外出中の居住者によって別々に設定することができる。
【符号の説明】
【００７２】
１０：インターホンシステム、２０：玄関子機、３０：居室親機、３３：操作部、３３ａ：音声操作部、３３ｂ：タッチ操作部、３５：居室親機ＣＰＵ（制御部の一例）、３７：居室親機通信インターフェース（受信部の一例）、３８：ロック設定部、３８ａ：第一ロック設定部、３８ｂ：第二ロック設定部、４０：サーバ、４５ａ：生成部、４８：サーバ記録部（記録部の一例）、５０：携帯端末、５８ａ：第三ロック設定部、５８ｂ：第四ロック設定部、Ｇ：居室範囲（居室の位置情報の一例）、Ｉｎ：通信ネットワーク、Ｋ：居室
【図１】
0006322152.tif 000002
【図２】
0006322152.tif 000003
【図３】
0006322152.tif 000004
【図４】
0006322152.tif 000005
【図５】
0006322152.tif 000006
【図６】
0006322152.tif 000007
【図７】
0006322152.tif 000008